【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
ホスト計算機と通信ネットワークを介して情報の授受を行い、前記ホスト計算機からのアクセスに応じ、前記ホスト計算機に記憶装置の記憶領域を提供するストレージサブシステムと、前記記憶装置の記憶領域を容量拡張ボリュームとして管理する管理計算機を備え、
前記管理計算機は、前記容量拡張ボリュームの一部の領域にプール要件を満たさない事象が生じたときに、前記容量拡張ボリュームのプール要件を満たす論理ボリュームを選出するステップを実行し、
前記ストレージサブシステムは、前記管理計算機からの指示に応答して、前記容量拡張ボリュームの一部の領域を前記選出された論理ボリュームに再配置するステップを実行する、論理ボリュームのデータ移動方法。
【請求項２】
前記管理計算機は、前記ストレージサブシステムから送信されたイベント情報を受信したことを条件に、前記イベント情報と前記論理ボリュームの構成情報を基に前記容量拡張ボリュームのプール要件を満たすか否かを判定するステップと、前記ステップで否定の判定結果を得たときに、前記プール要件を満たすデータ領域を選出するステップと、前記プール要件を満たさなくなったデータ領域から前記プール要件を満たすデータ領域へのデータの移動を前記ストレージサブシステムに指示するステップを実行し、
前記ストレージサブシステムは、イベントを検知したときに、イベント情報を前記管理計算機に送信するステップと、前記管理計算機から前記データの移動に関する指示を受けたときに、前記プール要件を満たさなくなったデータ領域から前記プール要件を満たすデータ領域へデータを移動するステップと、前記論理ボリュームの構成情報を、前記プール要件を満たさなくなったデータ領域から前記プール要件を満たすデータ領域に変更するステップを実行する、請求項１に記載の論理ボリュームのデータ移動方法。
【請求項３】
前記管理計算機は、前記ストレージサブシステムから送信されたイベント情報を受信したことを条件に、前記ホスト計算機のアクセス対象の物理リソースのうち前記イベント情報の影響を受ける物理リソースを特定するステップと、前記特定された物理リソースが前記容量拡張ボリュームのプール要件を満たすか否かを判定するステップと、前記ステップで否定の判定結果を得たときに、前記アクセス対象の物理リソースの中から前記プール要件を満たすことができる物理リソースを選出するステップと、前記イベント情報の影響を受ける物理リソースに格納されていたデータを、前記プール要件を満たす物理リソースへ移動させるデータの移動を前記ストレージサブシステムに指示するステップを実行し、
前記ストレージサブシステムは、イベントを検知したときに、イベント情報を前記管理計算機に送信するステップと、前記管理計算機から前記データの移動に関する指示を受けたときに、前記イベント情報の影響を受ける物理リソースに格納されていたデータを、前記プール要件を満たす物理リソースへ移動させるステップと、前記イベント情報の影響を受ける物理リソースの物理リソース番号を、前記プール要件を満たす物理リソースの物理リソース番号に変更するステップを実行する、請求項１又は２に記載の論理ボリュームのデータ移動方法。
【請求項４】
ホスト計算機と通信ネットワークを介して情報の授受を行い、前記ホスト計算機からのアクセスに応じ、前記ホスト計算機に記憶装置の記憶領域を提供する複数のストレージサブシステムと、前記記憶装置の記憶領域を容量拡張ボリュームとして管理する管理計算機を備え、
前記管理計算機は、前記容量拡張ボリュームの一部の領域にプール要件を満たさない事象が生じたときに、前記容量拡張ボリュームのプール要件を満たす論理ボリュームを選出するステップを実行し、
前記ストレージサブシステムのうち１つは、前記管理計算機からの指示に応答して、前記容量拡張ボリュームの一部の領域を前記選出された論理ボリュームに再配置するステップを実行する、論理ボリュームのデータ移動方法。
【請求項５】
前記管理計算機は、前記ストレージサブシステムのうち外部ストレージサブシステムから送信されたイベント情報を受信したことを条件に、前記イベント情報と前記論理ボリュームの構成情報および前記外部ストレージサブシステムの対応関係を基に前記容量拡張ボリュームのプール要件を満たすか否かを判定するステップと、前記ステップで否定の判定結果を得たときに、前記プール要件を満たすデータ領域を選出するステップと、前記プール要件を満たさなくなったデータ領域から前記プール要件を満たすデータ領域へのデータの移動を前記ストレージサブシステムのうち指定のストレージサブシステムに指示するステップを実行し、
前記外部ストレージサブシステムは、イベントを検知したときに、イベント情報を前記管理計算機に送信するステップを実行し、
前記指定のストレージサブシステムは、前記管理計算機から前記データの移動に関する指示を受けたときに、前記プール要件を満たさなくなったデータ領域から前記プール要件を満たすデータ領域へデータを移動するステップと、前記論理ボリュームの構成情報を、前記プール要件を満たさなくなったデータ領域から前記プール要件を満たすデータ領域に変更するステップを実行する、請求項４に記載の論理ボリュームのデータ移動方法。
【請求項６】
前記管理計算機は、前記ストレージサブシステムのうち外部ストレージサブシステムから送信されたイベント情報を受信したことを条件に、前記ホスト計算機のアクセス対象の物理リソースのうち前記イベント情報の影響を受ける物理リソースを特定するステップと、前記特定された物理リソースが前記容量拡張ボリュームのプール要件を満たすか否かを判定するステップと、前記ステップで否定の判定結果を得たときに、前記アクセス対象の物理リソースの中から前記プール要件を満たすことができる物理リソースを選出するステップと、前記イベント情報の影響を受ける物理リソースに格納されていたデータを、前記プール要件を満たす物理リソースへ移動させるデータの移動を前記ストレージサブシステムのうち指定のストレージサブシステムに指示するステップを実行し、
前記外部ストレージサブシステムは、イベントを検知したときに、イベント情報を前記管理計算機に送信するステップを実行し、
前記指定のストレージサブシステムは、前記管理計算機から前記データの移動に関する指示を受けたときに、前記イベント情報の影響を受ける物理リソースに格納されていたデータを、前記プール要件を満たす物理リソースへ移動させるステップと、前記イベント情報の影響を受ける物理リソースの物理リソース番号を、前記プール要件を満たす物理リソースの物理リソース番号に変更するステップを実行する、請求項４又は５に記載の論理ボリュームのデータ移動方法。
【請求項７】
ホスト計算機と通信ネットワークを介して情報の授受を行い、前記ホスト計算機からのアクセスに応じ、前記ホスト計算機に記憶装置の記憶領域を提供するストレージサブシステムと、前記記憶装置の記憶領域を容量拡張ボリュームとして管理する管理計算機を備え、
前記管理計算機は、前記容量拡張ボリュームの一部の領域にプール要件を満たさない事象が生じたときに、前記容量拡張ボリュームのプール要件を満たす論理ボリュームを選出し、
前記ストレージサブシステムは、前記管理計算機からの指示に応答して、前記容量拡張ボリュームの一部の領域を前記選出された論理ボリュームに再配置してなる、ストレージシステム。
【請求項８】
前記管理計算機は、前記ストレージサブシステムから送信されたイベント情報を受信したことを条件に、前記イベント情報と前記論理ボリュームの構成情報を基に前記容量拡張ボリュームのプール要件を満たすか否かを判定し、前記ステップで否定の判定結果を得たときに、前記プール要件を満たすデータ領域を選出し、前記プール要件を満たさなくなったデータ領域から前記プール要件を満たすデータ領域へのデータの移動を前記ストレージサブシステムに指示し、
前記ストレージサブシステムは、イベントを検知したときに、イベント情報を前記管理計算機に送信し、前記管理計算機から前記データの移動に関する指示を受けたときに、前記プール要件を満たさなくなったデータ領域から前記プール要件を満たすデータ領域へデータを移動し、前記論理ボリュームの構成情報を、前記プール要件を満たさなくなったデータ領域から前記プール要件を満たすデータ領域に変更する、請求項７に記載のストレージシステム。
【請求項９】
前記管理計算機は、前記ストレージサブシステムから送信されたイベント情報を受信したことを条件に、前記ホスト計算機のアクセス対象の物理リソースのうち前記イベント情報の影響を受ける物理リソースを特定し、前記特定された物理リソースが前記容量拡張ボリュームのプール要件を満たすか否かを判定し、前記ステップで否定の判定結果を得たときに、前記アクセス対象の物理リソースの中から前記プール要件を満たすことができる物理リソースを選出し、前記イベント情報の影響を受ける物理リソースに格納されていたデータを、前記プール要件を満たす物理リソースへ移動させるデータの移動を前記ストレージサブシステムに指示し、
前記ストレージサブシステムは、イベントを検知したときに、イベント情報を前記管理計算機に送信し、前記管理計算機から前記データの移動に関する指示を受けたときに、前記イベント情報の影響を受ける物理リソースに格納されていたデータを、前記プール要件を満たす物理リソースへ移動し、前記イベント情報の影響を受ける物理リソースの物理リソース番号を、前記プール要件を満たす物理リソースの物理リソース番号に変更する、請求項７又は８に記載のストレージシステム。
【請求項１０】
ホスト計算機と通信ネットワークを介して情報の授受を行い、前記ホスト計算機からのアクセスに応じ、前記ホスト計算機に記憶装置の記憶領域を提供する複数のストレージサブシステムと、前記記憶装置の記憶領域を容量拡張ボリュームとして管理する管理計算機を備え、
前記管理計算機は、前記容量拡張ボリュームの一部の領域にプール要件を満たさない事象が生じたときに、前記容量拡張ボリュームのプール要件を満たす論理ボリュームを選出し、
前記ストレージサブシステムのうち１つは、前記管理計算機からの指示に応答して、前記容量拡張ボリュームの一部の領域を前記選出された論理ボリュームに再配置する、ストレージシステム。
【請求項１１】
前記管理計算機は、前記ストレージサブシステムのうち外部ストレージサブシステムから送信されたイベント情報を受信したことを条件に、前記イベント情報と前記論理ボリュームの構成情報および前記外部ストレージサブシステムの対応関係を基に前記容量拡張ボリュームのプール要件を満たすか否かを判定し、前記判定で否定の判定結果を得たときに、前記プール要件を満たすデータ領域を選出し、前記プール要件を満たさなくなったデータ領域から前記プール要件を満たすデータ領域へのデータの移動を前記ストレージサブシステムのうち指定のストレージサブシステムに指示し、
前記外部ストレージサブシステムは、イベントを検知したときに、イベント情報を前記管理計算機に送信し、前記指定のストレージサブシステムは、前記管理計算機から前記データの移動に関する指示を受けたときに、前記プール要件を満たさなくなったデータ領域から前記プール要件を満たすデータ領域へデータを移動し、前記論理ボリュームの構成情報を、前記プール要件を満たさなくなったデータ領域から前記プール要件を満たすデータ領域に変更する、請求項１０に記載のストレージシステム。
【請求項１２】
前記管理計算機は、前記ストレージサブシステムのうち外部ストレージサブシステムから送信されたイベント情報を受信したことを条件に、前記ホスト計算機のアクセス対象の物理リソースのうち前記イベント情報の影響を受ける物理リソースを特定し、前記特定された物理リソースが前記容量拡張ボリュームのプール要件を満たすか否かを判定し、前記判定で否定の判定結果を得たときに、前記アクセス対象の物理リソースの中から前記プール要件を満たすことができる物理リソースを選出し、前記イベント情報の影響を受ける物理リソースに格納されていたデータを、前記プール要件を満たす物理リソースへ移動させるデータの移動を前記ストレージサブシステムのうち指定のストレージサブシステムに指示し、
前記外部ストレージサブシステムは、イベントを検知したときに、イベント情報を前記管理計算機に送信し、
前記指定のストレージサブシステムは、前記管理計算機から前記データの移動に関する指示を受けたときに、前記イベント情報の影響を受ける物理リソースに格納されていたデータを、前記プール要件を満たす物理リソースへ移動し、前記イベント情報の影響を受ける物理リソースの物理リソース番号を、前記プール要件を満たす物理リソースの物理リソース番号に変更する、請求項１０又は１１に記載のストレージシステム。
【請求項１３】
ホスト計算機に記憶装置の記憶領域を提供するストレージサブシステムと情報の授受を行うとともに、前記記憶装置の記憶領域を容量拡張ボリュームとして管理する管理部を備え、
前記管理部は、前記容量拡張ボリュームの一部の領域にプール要件を満たさない事象が生じたときに、前記容量拡張ボリュームのプール要件を満たす論理ボリュームを選出し、前記容量拡張ボリュームの一部の領域を前記選出された論理ボリュームに再配置するための指示を前記ストレージサブシステムに送信してなる、管理計算機。
【請求項１４】
前記管理部は、前記ストレージサブシステムから送信されたイベント情報を受信したことを条件に、前記イベント情報と前記論理ボリュームの構成情報を基に前記容量拡張ボリュームのプール要件を満たすか否かを判定し、前記判定で否定の判定結果を得たときに、前記プール要件を満たすデータ領域を選出し、前記プール要件を満たさなくなったデータ領域から前記プール要件を満たすデータ領域へのデータの移動を前記ストレージサブシステムに指示してなる、請求項１３に記載の管理計算機。
【請求項１５】
前記管理部は、前記ストレージサブシステムから送信されたイベント情報を受信したことを条件に、前記ホスト計算機のアクセス対象の物理リソースのうち前記イベント情報の影響を受ける物理リソースを特定し、前記特定された物理リソースが前記容量拡張ボリュームのプール要件を満たすか否かを判定し、前記判定で否定の判定結果を得たときに、前記アクセス対象の物理リソースの中から前記プール要件を満たすことができる物理リソースを選出し、前記イベント情報の影響を受ける物理リソースに格納されていたデータを、前記プール要件を満たす物理リソースへ移動させるデータの移動を前記ストレージサブシステムに指示してなる、請求項１３又は１４に記載の管理計算機。